(57)【特許請求の範囲】
【請求項１】
処理胴(12)の左側下方に選別板(14)を、後下方に吸引胴(16)をそれぞれ配置し、処理胴(16)の左側方に４番樋前壁(40)と４番樋後壁(42)とで前後に仕切られる４番樋(38)を形成するとともに、４番樋後壁(42)から吸引胴(16)にかけて吸引廻し板(58)を渡した脱穀装置において、４番樋後壁(42)と吸引廻し板(58)とで形成される処理胴(16)から選別板(14)に通ずる処理胴(12)の左側面に後部の一部を残して張られる金網(34)を一部取り込んで側方断面視略山形に形成される放擲空間(60)に、この放擲空間(60)の断面形状とほぼ同じ形状をして放擲空間(60)を遮る遮蔽板(64)を設けたことを特徴とする脱穀装置。
【請求項２】
放擲空間が、下方ほど幅広の略逆Ｕ字形の断面をしている請求項１に記載の脱穀装置。
【請求項３】
遮蔽板が、その下部が後面視で下方ほど放擲方向下流側に傾く斜めに形成される請求項１又は２に記載の脱穀装置。
【請求項４】
遮蔽板が、後面視で選別板の中程からやや放擲方向下流側に寄った位置に取り付けられる請求項１〜３いずれかに記載の脱穀装置。
【発明の詳細な説明】
【０００１】
【発明の属する技術分野】
本発明は、コンバインやハーベスタ等に搭載する脱穀装置に関する。
【０００２】
【従来の技術】
脱穀装置には、より精度の高い脱穀を図る目的で、扱胴に接続して処理胴を設けたものがある。処理胴は、主として穂切れ稈から穀粒を脱穀するものであり、処理胴からは稈交じりの穀粒（以下、稈穀粒という）が放擲される。この稈穀粒は、扱胴の後方に設けられる４番樋を構成する４番樋後壁と、これから処理胴の後方に設けられる吸引胴にかけて渡された吸引廻し板とで形成される放擲空間を通って処理胴の側方（前方）に設けられる選別板に導かれるようになっている。この場合、放擲空間は、穀粒を選別板上に均等に分散するよう設定されている。
【０００３】
【発明が解決しようとする課題】
ところが、通常の稈穀粒の場合はこれでよいのであるが、湿度の高い稈穀粒や穀稈に雑草等が多く交じったものでは、比重が高まってより遠くに放擲されてしまう。従って、選別板上、放擲方向下流側の位置に偏って放擲され、選別性能が低下する。
本発明は、このような課題を解決するものであり、高湿度材や雑草交じりのものでも選別板に万遍なく放擲できるようにしたものである。
【０００４】
【課題を解決するための手段】
以上の課題の下、本発明は、請求項１に記載した、処理胴(12)の左側下方に選別板(14)を、後下方に吸引胴(16)をそれぞれ配置し、処理胴(16)の左側方に４番樋前壁(40)と４番樋後壁(42)とで前後に仕切られる４番樋(38)を形成するとともに、４番樋後壁(42)から吸引胴(16)にかけて吸引廻し板(58)を渡した脱穀装置において、４番樋後壁(42)と吸引廻し板(58)とで形成される処理胴(16)から選別板(14)に通ずる処理胴(12)の左側面に後部の一部を残して張られる金網(34)を一部取り込んで側方断面視略山形に形成される放擲空間(60)に、この放擲空間(60)の断面形状とほぼ同じ形状をして放擲空間(60)を遮る遮蔽板(64)を設けたことを特徴とする脱穀装置を提供する。
【０００５】
処理胴から放擲される稈穀粒は、この放擲空間に限らず、４番樋や放擲空間の下方の空間も当然に飛翔する。しかし、比重が高くて比較的遠方に放擲される稈穀粒は必然的に上方の放擲空間中を飛翔するから、ここに遮蔽板が放擲空間一杯に設けられていると、遠方に放擲される稈穀粒の飛翔力を弱め、放擲方向下流側に偏って落下するのを防ぐ。
【０００６】
又、本発明は、前記した処理胴の左側面には後部の一部を残して金網が張られており、放擲空間が、金網を一部有して処理胴の後部に形成される手段、前記した遮蔽板が、放擲空間の断面形状ととほぼ同じ形状をしている手段をそれぞれ提供する。
【０００７】
一般に、処理胴は、左側面（前面）に金網が後部の一部を残して張られており、処理する稈穀粒を後方に送る機能を有している。従って、強い遠心力を受ける穀粒は金網の部分から放擲され、比重の軽い稈屑等は後部の金網のない箇所から放出されるのが通常である。
【０００８】
このような場合、放擲空間が、その断面内に金網の後端を一部取り込んで処理胴の後部に形成されるとすれば、たとえ、途中に遮蔽板が存在していたとしても、金網のない部分から放出される稈屑を吸引胴で効率的に吸引できる。又、遮蔽板が、放擲空間の断面形状とほぼ同じ形状をしておれば、放擲空間中を飛翔するすべての稈穀粒に対して影響を与える。
【０００９】
更に、本発明は、前記した手段において、放擲空間が、下方ほど幅広の略逆Ｕ字形の断面を有している手段、遮蔽板が、その下部が後面視で下方ほど放擲方向下流に傾く斜めに形成される手段、遮蔽板が、後面視で選別板の中程からやや放擲方向下流側に寄った位置に取り付けられる手段を提供する。
【００１０】
これらの手段は、放擲空間の上方を飛翔して遠くに到達する稈穀粒に対するほど強い抑止力を与えるとともに、その抑止力を最適な箇所で付与するのに寄与し、その結果、選別板上への均等分散に貢献する。更に、放擲空間の中下方を飛翔する通常の稈穀粒の分散放擲に支障を与えない効果も発揮する。
【００１１】
【発明の実施の形態】
以下、本発明の実施の形態を図面を参照して説明する。図１は本発明の一例を示す脱穀装置の縦断面図、図２は図１のＡ−Ａ断面図であるが、コンバイン等における脱穀装置は、前方から、扱胴１０、処理胴１２、選別板１４及び吸引胴１６等が配置される。尚、ここでの前後、左右、上下といった方向は、操縦者が機の座席に坐った状態を基準にする。
【００１２】
扱胴１０は、脱穀装置の前部に設けられた扱室１８内で、前後方向に据えられた軸心の回りに垂直回動するドラム２０の外周に扱歯２２が植設されたものである。扱室１８の下部には選別金網２４が設けられており、扱胴１０の左側方には穀稈移送装置２６が設けられている。穀稈は、その穂先を扱室１８内に突入されて穀稈移送装置２６で移送され、その間に扱歯２２に当てて脱穀される。
【００１３】
処理胴１２は、扱室１８の右側後方にこれと一部重複した状態で形成される処理胴室２８に収容され、前後方向に向けられた軸心回りを垂直回動するドラム３０の外周に処理歯３２が植設されたものである。処理胴１２の前面（左側面）には金網３４が後部の一部を残して張られている。
【００１４】
処理胴１２は、扱室１８から流入する穂切れした稈穀粒を処理歯３２で稈と穀屑に分離し、それぞれを左側方（前方）に放擲するとともに、後方に送るものである。このとき、金網３４の存在は、稈屑が透過をするのを避け、稈屑は金網３４のない後部から放出させるのに貢献する。
【００１５】
処理胴１２の左側方には、４番と称される稈にささり込んでいる穀粒を選別板１４に導く４番樋３８が形成されている。この４番樋３８は、４番樋前壁４０と後壁４２とで前後が仕切られ、脱穀装置の左壁体を構成する左壁４４と吸引胴１２の左側方を覆う右壁４６とで左右が隔成されたダクトであり、後述する唐箕の風によって稈屑を吸引胴１６の出口に形成された排塵口３６に送出するものである。
【００１６】
選別板１４は、扱室１８の下方から処理胴室２８の左側下方にかけて設けられるもので、選別櫛４８を並設した棚を揺動するものである。選別板１４は、下方に設けられた唐箕５０の風によって選別櫛４８で穀粒と稈屑を分離するものであり、稈屑は排塵口３６へ送り、穀粒は穀粒排出機構５２で取り出す。
【００１７】
吸引胴１６は、処理胴１２の後下方で、選別板１４の上方にこれとほぼ同じ幅で設けられる吸引胴室５４に収容されて左右方向に向けられた軸心回りを垂直回動する横断流ファン５６を主体とするものである。吸引胴１６は、処理胴１２からの穀粒の放擲を助け、選別板１４上の稈屑を吸引するものである。
【００１８】
４番樋後壁４２から吸引胴１６の入口にかけては吸引廻し板５８が渡されている。この場合、前記した右壁４６は脱穀装置の後部まで延びているが、４番樋後壁４２と吸引廻し板５８とで囲まれる空間だけは開口されている。従って、この空間だけは処理胴１２から選別板１４にかけて直接通じており、これをここでは放擲空間６０と称する。この他、処理胴１２の後方には藁を処理する排藁処理装置６２が設けられている。
【００１９】
処理胴１２から放擲される稈穀粒のうち、放擲空間６０を通るものは選別板１４に直接至る。一方、前記した右壁４６は処理胴１２の高さ程度は存在しているから、その下方の空間は、右壁４６で遮られるものの、選別板１４に通じており、稈穀粒はこの空間も飛翔する。
【００２０】
この放擲空間６０は、下方ほど幅広の略逆Ｕ字形の断面をしている。下方の方が放擲される稈穀粒の密度が高いから、この部分を広くすれば、その流通が円滑になるからである。この放擲空間６０は、処理胴１２の後部に形成されることになるが、このとき、その断面の一部に金網３４の後端が来るようにするのが好ましい。
【００２１】
本発明は、以上の放擲空間６０に、この放擲空間６０を遮る遮蔽板６４を取り付けたものである。遮蔽板６４の取付け形態は問わないが、要は、動かないように止め付ければよい。具体的には、ボルト等で取り外し可能に止めたり、溶接で一体化することが考えられる。前者にすると、取付け位置が調整できたり、通常の稈穀粒でこれが不要のときに取り外せたりする利点がある。
【００２２】
処理胴１２から放擲される稈穀粒は、この放擲空間６０に限らず、その下方の空間も当然に飛翔する。しかし、比重が高くて比較的遠方に放擲される稈穀粒は必然的に上方の放擲空間６０中を飛翔するから、ここに遮蔽板６４が設けられていると、遠方に放擲される稈穀粒の飛翔力を弱め、放擲方向下流側に偏って落下するのを防ぐ。この場合、遮蔽板６４が放擲空間６０の断面とほぼ同じ形状をしていると、放擲空間６０を飛翔するすべての稈穀粒に対して遮蔽効果を与える。
【００２３】
処理胴１２から放擲される稈穀粒のうち、穀粒は金網３４を透過するが、稈屑は金網３４で遮蔽されてこれが存在しない後部から放出されるのが通常である。従って、放擲空間６２が金網３４の後端をその断面内に一部取り込んでおれば、金網３４がない部分から集中的に放出される稈屑の吸引胴１６による吸引効果が大きい。この場合、遮蔽板６４が放擲空間６０全域に存在するものであれば、稈屑もこれで遮蔽されるが、稈屑は比重が軽いから、その影響を受け難い。何なら、金網３４が存する部分だけ遮蔽板６４を設けるようにしてもよい。
【００２４】
稈穀粒の放擲を選別板１４上へ均等に分散させるには、遮蔽板６４の後面視形状やその取付け位置も重要である。遮蔽板６４の後面視形状は、上部は放擲空間６０に直角で、下部は下方ほど下流側に傾く斜めに形成するのが好ましい。遠くまで放擲される上位を飛翔する稈穀粒に対しては急激な抑止力を与え、さほど遠くに放擲されない中位を飛翔する稈穀粒に対してはあまり強い抑止力を与えないためである。又、下部の斜め形状は、通常の稈穀粒の場合にその飛翔力を落とさない効果もある。
【００２５】
放擲空間６０における遮蔽板６４の取付け位置は、後面視で選別板１４の中程かそれよりやや放擲方向下流側の位置が好ましい。この位置が、処理胴１２と選別板１４との関係上、稈穀粒を選別板１４上にもっとも効果的に分散して放擲するからである。
【００２６】
【発明の効果】
以上、本発明によれば、高湿度材や雑草が混じって比較的比重が高くて遠くに放擲される稈穀粒は遮蔽板によってその勢いが弱められるから、選別板の上に偏って落下するのを防ぎ、選別機能を低下させない。
【図面の簡単な説明】
【図１】  本発明の一例を示す脱穀装置の縦断面図である。
【図２】  図１のＡ−Ａ断面図である。
【符号の説明】
１２  処理胴
１４  選別板
１６  吸引胴
３８  ４番樋
４０  ４番樋前壁
４２  ４番樋後壁
５８  吸引廻し板
６０  放擲空間
６４  遮蔽板
【図１】
0003729982.tif 000002
【図２】
0003729982.tif 000003